(57)【要約】【課題】使用する軸受のｄｍｎ値が１００万以上の高速回転可能、且つ、良好な防水機能を維持しながら、遠心力によるフリンガーの変形を防止することができ、さらに、フリンガーの回転中の内部応力が軽減されて、半径方向の変形を小さくできるスピンドル装置を提供する。【解決手段】フリンガー４０は、回転軸１１に外嵌される円筒状のボス部４２と、ボス部４２の軸方向前端部から径方向外側に延設され、径方向外側に向かうにつれてボス部４２の軸方向他端部側に向けて傾斜する傾斜部４３と、傾斜部４３から軸方向に延設される円環部４４と、を備え、回転軸１１よりも比重が小さく、且つ、比強度が高い材料からなる。【選択図】図２
2014046412.tif 000002
【特許請求の範囲】
【請求項１】
一端側に加工工具が取り付けられる回転軸と、
前記回転軸を軸受を介して回転自在に支持するハウジングと、
前記回転軸の周囲に一体回転可能に固定され、前記軸受への液体の浸入を抑制する防水機能を有するフリンガーと、
を備えたスピンドル装置であって、
前記フリンガーは、前記回転軸に外嵌される円筒状の基部と、前記基部の軸方向一端部から径方向外側に延設され、径方向外側に向かうにつれて前記基部の軸方向他端部側に向けて傾斜する傾斜部と、前記傾斜部から軸方向に延設される円環部と、を備え、前記回転軸よりも比重が小さく、且つ、比強度が高い材料からなることを特徴とするスピンドル装置。
【請求項２】
前記フリンガーは、炭素繊維複合材料、アラミド繊維複合材料のいずれかの繊維強化複合材料からなることを特徴とする請求項１に記載のスピンドル装置。
【請求項３】
前記フリンガーは、アルミニウム、チタン、ジュラルミンのいずれかの材料からなることを特徴とする請求項１に記載のスピンドル装置。
【請求項４】
前記フリンガーは、比重が４．５ｇ／ｃｍ３以下、且つ、比強度が７４ｋＮｍ／ｋｇ以上であることを特徴とする請求項３に記載のスピンドル装置。
【請求項５】
前記フリンガーの傾斜部は、前記フリンガーの回転軸線に対して垂直な面に対して、１５〜３０°の範囲で傾斜していることを特徴とする請求項１〜４の何れか１項に記載のスピンドル装置。
【発明の詳細な説明】
【技術分野】
【０００１】
本発明は、スピンドル装置に関し、より詳細には、防水機能を有し、工作機械に適用するのに好適なスピンドル装置に関する。
【背景技術】
【０００２】
工作機械等に適用されるスピンドル装置の回転軸は、高速回転して被加工物の切削加工や研削加工を行っている。加工に際して、一般的に、刃具や砥石等の加工工具および加工部位の潤滑や冷却を目的として多量の加工液が加工部に供給される。即ち、潤滑により、被削特性の向上、加工刃先の摩耗抑制、工具寿命の延長などが図られる。また、冷却により、加工工具及び被加工物の熱膨張が抑制されて加工精度の向上、加工部位の熱溶着を防止して加工効率の向上や加工面の表面性状の向上が図られる。スピンドル装置と加工部との距離が近いこともあり、加工液がスピンドル装置の前面にも多量にかかる。この多量に供給される加工液が回転軸を支持する軸受内部に浸入しやすく、加工液が軸受内部に浸入すると、軸受の潤滑不良や焼付きなどの原因となるため軸受の防水性能が重要となる。特に、グリース封入潤滑やグリース補給潤滑される軸受においては、エアと共に潤滑油が供給されるオイル・エア潤滑やオイルミスト潤滑の軸受と比較して軸受内部が低圧であるため、加工液が軸受内部に浸入し易く、より高い防水性能が必要となる。
【０００３】
一般的な防水機構としては、オイルシールやＶリングなどの接触式シールが知られている。しかしながら、この接触式シールを、使用する軸受のｄｍｎ値が４０万以上（より好適には、５０万以上）の高速回転で使用されるスピンドル装置に適用した場合、接触式シールの接触部からの発熱が大きく、シール部材が摩耗して防水性能を長期間に亘って維持し難い問題がある。このため、工作機械では、スピンドル装置の前端部（工具側）に、回転軸と一体回転可能にフリンガーを固定し、該フリンガーとハウジングとの間の隙間を小さくした非接触シールである、所謂ラビリンスシールを構成して防水を図っている。高速で回転するフリンガーは、ラビリンス効果と共に、フリンガーに降りかかった加工液を遠心力で径方向外方に振り飛ばして、加工液の軸受内部への浸入を防止している。
【０００４】
フリンガーによる遠心力及びラビリンス効果を利用した防水効果は、回転の高速化や大径のフリンガーを用いることで遠心力を大きくすると共に、フリンガーとハウジングとの間の隙間を極力小さく、且つ、長く設けることが効果的である。しかし、高速回転したり、フリンガーの直径を大きくすると、フリンガーに作用する遠心力及びフープ応力もこれに比例して大きくなる。
【０００５】
遠心力による影響を抑制する従来の技術としては、工具に装着されたコレットを工具保持部のテーパ孔に挿入し、工具保持部に螺合するナットを締め付けて工具を工具保持部に固定するようにした工具ホルダにおいて、ナットの外周面に炭素繊維層を巻き付け、遠心力によるナットの膨張抑制を図ったものが開示されている（例えば、特許文献１参照。）。
【０００６】
また、特許文献２に記載の工作機械用主軸装置におけるシール装置においては、主軸の先端部と一体的に回転する遮蔽版を、ハウジングの先端面に対して隙間を隔てて対向するように配置し、遮蔽版とハウジングの先端面との間にラビリンス部を設けている。このように構成することによって、ワークなどに当たって跳ね返ったクーラントがハウジングの内部に浸入することを防止している。
【０００７】
また、特許文献３に記載の工作機械用主軸装置においては、主軸キャップと端面カバーとで形成するラビリンスシールを備え、当該ラビリンスシールがラビリンス室を備えるように構成されており、ラビリンス室の容積を大きく設定することで、主軸キャップと端面カバーとの隙間からラビリンス室にクーラント液が浸入した場合、ラビリンス室内のクーラント液の圧力が低下しクーラント液の流動を減衰させることを図っている。そして、主軸と主軸ヘッドの主軸ハウジングとの隙間から主軸の先端側に向かって大量の圧縮エアを供給することなく、主軸の軸受部にクーラント液が浸入するのを防止している。
【０００８】
また、特許文献４に記載のスピンドルユニットは、ハウジングと、該ハウジングにベアリングを介して回転自在に装着される回転軸と、該回転軸に螺着され該ベアリングの内輪を押さえる内輪押さえ部材と、該ハウジングに固着され該ベアリングの外輪を押さえる外輪押さえ部材と、を含み、内輪押さえ部材には、外輪押さえ部材を非接触で覆う防水カバーが形成されることが開示されている。そして、上記防水カバーによって、外輪押さえ部材と内輪押さえ部材との間、即ちベアリング部位への切削水の浸入を防止し、錆の発生等を解消させることを図っている。
【先行技術文献】
【特許文献】
【０００９】
【特許文献１】特開平６−２２６５１６号公報
【特許文献２】特開２００２−２６３９８２号公報
【特許文献３】特開２０１０−７６０４５号公報
【特許文献４】特開平１１−７７５２９号公報
【発明の概要】
【発明が解決しようとする課題】
【００１０】
ところで、一般的にフリンガーは、ＳＣ材、ＳＣＭ材、ＳＵＳ材、ＣＵ材などの比較的比重が大きな金属材料で製作されている。従って、フリンガーに降りかかる加工液に大きな遠心力を作用させるために、フリンガーの直径を大きくすると、フリンガー自身、特に外径側に大きな遠心力が作用する。工作機械の回転軸のように、使用する軸受のｄｍｎ値が１００万以上となる高速回転においては、遠心力によってフリンガーが変形し、場合によってはフリンガー本来の防水機能が低下する虞があった。このため、遠心力による影響が許容される程度に、フリンガーの直径や回転軸の回転速度を制限する必要がある。
【００１１】
従来のｄｍｎ値が１００万以上となる環境下で使用されるスピンドル装置では、遠心力の大きさを考慮してフリンガーの寸法を制限していたために、防水性能の点で改善の余地があった。
【００１２】
本発明は、前述した課題に鑑みてなされたものであり、その目的は、使用する軸受のｄｍｎ値が１００万以上の高速回転可能、且つ、良好な防水機能を維持しながら、遠心力によるフリンガーの変形を防止することができ、さらに、フリンガーの回転中の内部応力が軽減されて、半径方向の変形を小さくできるスピンドル装置を提供することにある。
【課題を解決するための手段】
【００１３】
本発明の上記目的は、下記の構成により達成される。
（１）  一端側に加工工具が取り付けられる回転軸と、
前記回転軸を軸受を介して回転自在に支持するハウジングと、
前記回転軸の周囲に一体回転可能に固定され、前記軸受への液体の浸入を抑制する防水機能を有するフリンガーと、
を備えたスピンドル装置であって、
前記フリンガーは、前記回転軸に外嵌される円筒状の基部と、前記基部の軸方向一端部から径方向外側に延設され、径方向外側に向かうにつれて前記基部の軸方向他端部側に向けて傾斜する傾斜部と、前記傾斜部から軸方向に延設される円環部と、を備え、前記回転軸よりも比重が小さく、且つ、比強度が高い材料からなることを特徴とするスピンドル装置。
（２）  前記フリンガーは、炭素繊維複合材料、アラミド繊維複合材料のいずれかの繊維強化複合材料からなることを特徴とする（１）に記載のスピンドル装置。
（３）  前記フリンガーは、アルミニウム、チタン、ジュラルミンのいずれかの材料からなることを特徴とする（１）に記載のスピンドル装置。
（４）  前記フリンガーは、比重が４．５ｇ／ｃｍ３以下、且つ、比強度が７４ｋＮｍ／ｋｇ以上であることを特徴とする（３）に記載のスピンドル装置。
（５）  前記フリンガーの傾斜部は、前記フリンガーの回転軸線に対して垂直な面に対して、１５〜３０°の範囲で傾斜していることを特徴とする（１）〜（４）の何れかに記載のスピンドル装置。
【発明の効果】
【００１４】
本発明のスピンドル装置によれば、フリンガーは、回転軸に外嵌される円筒状の基部と、基部の軸方向一端部から径方向外側に延設され、径方向外側に向かうにつれて基部の軸方向他端部側に向けて傾斜する傾斜部と、傾斜部から軸方向に延設される円環部と、を備え、回転軸よりも比重が小さく、且つ、比強度が高い材料からなる。これにより、スピンドル装置は、使用する軸受のｄｍｎ値が１００万以上の高速回転可能、且つ、良好な防水機能を維持しながら、遠心力によるフリンガーの変形を防止することができる。特に、フリンガーの傾斜部は、高速回転の際、軸方向に変形することで、傾斜部から軸へ延設されている面に圧縮側（半径方向内向き＝回転軸芯に向かう放射線状）の応力が作用する。そして、この応力が、基部の軸方向一端部から傾斜部にかけて働く遠心力に対して逆方向の抗力として働くので、該遠心力を抑制することができる。その結果、回転中の内部応力が軽減されると共に、半径方向の変形を小さくできる。
【図面の簡単な説明】
【００１５】
【図１】本発明の一実施形態に係るスピンドル装置の断面図である。
【図２】図１のスピンドル装置の要部拡大断面図である。
【図３】図１に示すフリンガーの形状によるスラスト方向応力の違いを説明する図である。
【図４】図１に示すフリンガーの材料による遠心力の違いを説明する図である。
【発明を実施するための形態】
【００１６】
以下、本発明の一実施形態に係るスピンドル装置について、図面に基づいて詳細に説明する。
図１に示すように、スピンドル装置１０は、工作機械用のモータビルトイン式スピンドル装置であり、回転軸１１が、その工具側（前側、軸方向前方）を支承する２列の前側軸受５０，５０と、反工具側（後側、軸方向後方）を支承する２列の後側軸受６０，６０を介して、ハウジングＨに回転自在に支持されている。ハウジングＨは、工具側から順に、前側軸受外輪押さえ１２、外筒１３、後側ハウジング１４、後蓋５によって構成されている。
【００１７】
回転軸１１の工具側には、軸中心を通り軸方向に形成された工具取付孔２４及び雌ねじ２５が設けられている。工具取付孔２４及び雌ねじ２５は、不図示の加工工具を回転軸１１に取付けるために使用される。例えば、工具取付孔２４及び雌ねじ２５には、不図示の砥石クイルが取り付けられることで、研削加工が可能となる。
なお、回転軸１１の構成は、一端側に加工工具が取り付けられるものであればよく、工具取付孔２４及び雌ねじ２５の代わりに、回転軸１１の軸芯にドローバーを摺動自在に挿嵌するようにしてもよい。ドローバーは、工具ホルダを固定する不図示のコレット部を備え、皿ばねの力によってコレット部を反工具側方向に付勢する。
【００１８】
回転軸１１の前側軸受５０，５０と後側軸受６０，６０間の略軸方向中央には、回転軸１１と一体回転可能に配置されるロータ２６と、ロータ２６の周囲に配置されるステータ２７とを備える。ステータ２７は、ステータ２７に焼き嵌めされた冷却ジャケット２８を、ハウジングＨを構成する外筒１３に内嵌することで、外筒１３に固定される。ロータ２６とステータ２７とはモータＭを構成し、ステータ２７に電力を供給することでロータ２６に回転力を発生させて回転軸１１を回転させる。
【００１９】
各前側軸受５０は、外輪５１と、内輪５２と、接触角を持って配置される転動体としての玉５３と、図示しない保持器と、をそれぞれ有するアンギュラ玉軸受であり、各後側軸受６０は、外輪６１と、内輪６２と、転動体としての玉６３と、図示しない保持器と、を有するアンギュラ玉軸受である。前側軸受５０，５０（並列組合せ）と後側軸受６０，６０（並列組合せ）とは、互いに協働して背面組み合わせとなるように配置されている。
【００２０】
前側軸受５０，５０の外輪５１，５１は、外筒１３に内嵌されており、外筒１３にボルト締結された前側軸受外輪押さえ１２によって外輪間座５４を介して外筒１３に対し軸方向に位置決め固定されている。前側軸受５０，５０の内輪５２，５２は、回転軸１１に外嵌されており、回転軸１１に締結されたナット１６によって、内輪間座５５及び後述するフリンガー４０を介して回転軸１１に対し軸方向に位置決め固定されている。
【００２１】
後側軸受６０，６０の外輪６１，６１は、後側ハウジング１４に対して軸方向に摺動自在に内嵌するスリーブ１８に内嵌すると共に、このスリーブ１８にボルト６６で一体的に固定された後側軸受外輪押え１９によって、外輪間座６４を介してスリーブ１８に対し軸方向に位置決め固定されている。
【００２２】
後側軸受６０，６０の内輪６２，６２は、回転軸１１に外嵌されており、回転軸１１に締結された他のナット２１によって、内輪間座６５を介して回転軸１１に対し軸方向に位置決め固定されている。後側ハウジング１４と後側軸受外輪押え１９との間にはコイルばね２３が配設され、このコイルばね２３のばね力が、後側軸受外輪押え１９をスリーブ１８と共に後方に押圧する。これにより、後側軸受６０，６０に予圧が付与される。
【００２３】
ここで、本実施形態のような研削加工では、一般的に研削液を多量に加工部に供給し、加工部の冷却及び加工粉の除去を行なっている。この加工液が前側軸受５０，５０に浸入しないように、フリンガー４０が、前側軸受５０，５０より工具側（図中左側）において回転軸１１の周囲に一体回転可能に固定されており、前側軸受外輪押さえ１２との間にラビリンスシールを構成して、外部からかかる研削液を回転軸１１の回転と共に振り切り、前側軸受５０，５０への液体の浸入を抑制する防水機能を与える。
【００２４】
図２及び図３も参照して、フリンガー４０は、基部としての円筒状のボス部４２と、該ボス部４２の軸方向前端部から径方向外方に延設され、径方向外側に向かうにつれてボス部４２の軸方向後端部側に向けて傾斜する傾斜部４３と、及び該傾斜部４３の径方向外方端部から軸方向後方に向かってリング状に延設された円環部４４と、を有する。そして、フリンガー４０は、ボス部４２を回転軸１１に外嵌して、ナット１６により内輪５２，５２と共に軸方向に締め付けることで、回転軸１１に一体回転可能に固定される。
【００２５】
また、ボス部４２は、前側軸受外輪押さえ１２の内周面１２ａに対して僅かな隙間を介して径方向に対向配置され、傾斜部４３は前側軸受外輪押さえ１２の軸方向前端側のテーパ面１２ｂに対して僅かな隙間を介して軸方向に対向配置され、円環部４４は前側軸受外輪押さえ１２の外周面１２ｃ及び当該外周面１２ｃに滑らかに接続する外筒１３の外周面１３ａに対して僅かな隙間を介して径方向に対向配置される。このように、フリンガー４０は、ハウジングＨを構成する前側軸受外輪押さえ１２及び外筒１３と僅かな軸方向隙間及び径方向隙間、例えば０．５ｍｍ程度の隙間を介して対向配置され、所謂ラビリンスシールを構成する。
【００２６】
特に、円環部４４の内周面４４ａと、前側軸受外輪押さえ１２及び外筒１３の外周面１２ｃ、１３ａと、の間にはその周速度の差によってエアカーテンが形成され、被加工物を加工する際、スピンドル装置１０に降りかかる加工液が前側軸受５０，５０側に入ることを抑制するための防水機構を構成する。
【００２７】
また、傾斜部４３は、フリンガー４０の回転軸線ｘに対して垂直な面Ｓに対して傾斜角αだけ傾斜している。このように、フリンガー４０に傾斜部４３を設けたテーパ形状の場合、図３に示すように、垂直な面Ｓに沿って形成された円盤部４３´を有するカップ形状のフリンガー４０´に比べて、遠心力の作用によるスラスト方向の応力を小さくすることができ、遠心力膨張によるスラスト方向への応力を抑制することができる。
【００２８】
また、フリンガー４０は、遠心力によって円環部４４が拡径するように変形することで、傾斜部４３に応力が作用し、傾斜部４３は、傾斜角αが小さくなる方向に変形することで、傾斜部４３から軸へ延設されている面に圧縮側（半径方向内向き＝回転軸芯に向かう放射線状）の応力が作用する。そして、この応力が、ボス部４２の軸方向前端部から傾斜部４３にかけて働く遠心力に対して逆方向の抗力として働くので、該遠心力を抑制することができる。その結果、回転中の内部応力が軽減されると共に、半径方向の変形を小さくできる。
【００２９】
なお、傾斜角αとしては、１５〜３０°の範囲とすることが好ましい。応力解析の結果１５°未満では、強度向上の効果が十分に与えられず、また、３０°を越えると、前側軸受５０の配置スペースが狭くなり、軸受５０及び周辺部品のレイアウトが困難となる。
【００３０】
また、フリンガー４０は、回転軸１１を構成するＳＣ材、ＳＣＭ材、ＳＵＳ材などの金属よりも比重が小さく、且つ、比強度（引っ張り強さ／比重）が高い材料から形成されている。具体的には、炭素繊維複合材料（ＣＦＲＰ）、アラミド繊維複合材料（ＡＦＲＰ）のいずれかからなる繊維強化複合材料、または、アルミニウム、ジュラルミン、チタンのいずれかからなる軽金属材料によって構成される。
【００３１】
例えば、炭素繊維複合材料としては、例えば、ＰＡＮ（ポリアクリルニトリル）を主原料とした炭素繊維からなる糸を平行に引きそろえたものや、炭素繊維からなる糸で形成した織物（シート状）に、硬化剤を含むエポキシ樹脂などの熱硬化樹脂を含浸させてなるシートを多数層重ね合わせて、芯金などに巻きつけ、加熱硬化させることで製造される。また、ピッチ系を主原料とした炭素繊維を使用することもできる。炭素繊維複合材料は、纖維方向・角度を最適化することで、引張強度、引張弾性率、線膨張係数などの物性値を用途に合わせて最適化することができる。
【００３２】
炭素繊維複合材料の特性としては、例えば、引張強度１８００〜３５００ＭＰａ、引張弾性率１３０〜２８０ＧＰａ、比重１．５〜２．０ｇ／ｃｃの物性値を持ったＰＡＮ系を主原料とした炭素繊維を用いると、従来の高張力鋼などと比べて、引張強度は同等以上であり、比重は１／５程度になる（比強度では、通常の金属材料に比べて略３倍となる）。また、熱膨張係数は、繊維方向・角度を最適化することにより、−５〜＋１２×１０−６Ｋ−１にすることができるので、従来の炭素鋼に比べて１〜１／１０程度にすることができる。
【００３３】
また、軽金属材料の場合には、フリンガー４０の物性値は、好ましくは、比重が４．５ｇ／ｃｍ３以下、且つ、比強度＝引っ張り強度（ＭＰａ）／密度（ρ：ｇ／ｃｍ３）と表した場合の比強度が７４ｋＮｍ／ｋｇ以上、より好ましくは、比重が２．７ｇ／ｃｍ３以下、且つ、比強度が１６０ｋＮｍ／ｋｇ以上である。
【００３４】
このように、一般的な金属と比較して比重が小さく、且つ比強度（引っ張り強さ／比重）が高い繊維強化複合材料または軽金属材料を用いることで、図４に示すように、直径が同じであればフリンガー４０に作用する遠心力を大幅に小さくすることができる。従って、回転軸１１の回転速度に対する制約や、フリンガー４０の大きさ（径方向）に対する制限を大幅に緩和することができる。
【００３５】
これにより、従来達成することが困難であった更なる高速回転化、或いはフリンガー４０の大型化が可能となり、加工液に作用する遠心力を高めて、降りかかる加工液を確実に径方向外方に振り飛ばして軸受内部への浸入を防止することができる。また、フリンガー４０の円環部４４に作用する遠心力が小さくなることで、比較的強度が弱い片持ち構造となる円環部４４の開口側（図中右側）が径方向外方へ拡径することを抑制することができる。これにより、円環部４４の径方向長さ及び軸方向長さを長く設定して、ラビリンスシールの長さが長くなり防水効果が向上する。
【００３６】
また、いずれの材料をフリンガー４０に使用した場合にも、回転中、回転軸１１の外径膨張量よりもフリンガー４０の内径膨張量のほうが小さいので、回転軸１１とフリンガー４０との嵌め合いは、しめしろとなるように変化する。このため、回転軸１１とフリンガー４０とが組み込み時にすきま嵌合の場合には、回転中にしめしろ嵌合となり、回転軸１１とフリンガー４０との軸心が一致し、アンバランスが解消される。また、回転中のラビリンス部分の径方向ギャップのずれも生じにくい。一方、回転軸１１とフリンガー４０とが組み込み時にしめしろ嵌合の場合には、回転中のしめしろがより大きくなり、両者間の締結力がより増加し、剛性向上による振動防止やクリープ抑制力改善に効果的に作用する。
【００３７】
さらに、繊維強化複合材料をフリンガー４０に使用した場合には、熱膨張率が小さいため、回転中でのフリンガー４０と非回転物であるハウジングＨとの隙間を一定に確保することができる。
【００３８】
また、軽金属材料をフリンガー４０に使用した場合には、ナット１６による軸方向に締め付けが確実となり、共締めされる内輪５２，５２等の位置決めがより正確となる。
【００３９】
なお、外筒１３の外周面１３ａには、フリンガー４０の自由端部よりも軸方向右側に隣接して円周溝１３ｂが全周に亘って形成されている。従って、外筒１３の外周面１３ａに付着した加工液が円周溝１３ｂに溜まるので、加工液がラビリンスシールを介して前側軸受５０に浸入するのを防止することができる。
【００４０】
以上説明したように、本実施形態のスピンドル装置１０によれば、フリンガー４０は、回転軸１１に外嵌される円筒状のボス部４２と、ボス部４２の軸方向前端部から径方向外側に延設され、径方向外側に向かうにつれてボス部４２の軸方向他端部側に向けて傾斜する傾斜部４３と、傾斜部４３から軸方向に延設される円環部４４と、を備え、回転軸１１よりも比重が小さく、且つ、比強度が高い材料からなる。これにより、スピンドル装置１０は、主軸に使用される軸受５０，６０の軸受５０，６０のｄｍｎ値（特に、フリンガー４０が前方に配置される前側軸受５０のｄｍｎ値）が１００万以上の高速回転可能、且つ、良好な防水機能を維持しながら、遠心力によるフリンガー４０の変形を防止することができる。特に、フリンガー４０の傾斜部４３は、高速回転の際、軸方向に変形することで、傾斜部４３から軸へ延設されている面に圧縮側（半径方向内向き＝回転軸芯に向かう放射線状）の応力が作用する。そして、この応力が、ボス部４２の軸方向前端部から傾斜部４３にかけて働く遠心力に対して逆方向の抗力として働くので、該遠心力を抑制することができる。その結果、回転中の内部応力が軽減されると共に、半径方向の変形を小さくできる。
【００４１】
なお、本発明は、前述した各実施形態に限定されるものではなく、適宜、変形、改良、等が可能である。
【００４２】
また、モータビルトイン式スピンドル装置として説明したが、これに限定されず、ベルト駆動方式スピンドル装置、モータの回転軸とカップリング連結されたモータ直結駆動方式スピンドル装置にも同様に適用可能である。更に、工作機械用のスピンドル装置に限定されず、防水機能が要望される、他の高速回転機器のスピンドル装置にも適用することができる。
【符号の説明】
【００４３】
１０  スピンドル装置
１１  回転軸
１２  前側軸受外輪押さえ
１３  外筒
４０  フリンガー
４２  ボス部（基部）
４３  傾斜部
４４  円環部
５０  前側軸受（軸受）
６０  後側軸受（軸受）
Ｈ  ハウジング
【図１】
2014046412.tif 000003
【図２】
2014046412.tif 000004
【図３】
2014046412.tif 000005
【図４】
2014046412.tif 000006